(57)【要約】【課題】木造在来工法に用いられているホールダウン金物は巨大地震の際、柱が土台から引き抜かれる力に対応するものである。ホールダウン金物は新築時であれば、壁内へ設置するものであるが、既存建物の耐震補強工事等、後付の場合、建物外部の壁面に金物を取り付けるため、建物の美観を損ねるものであった。【解決手段】本工法ではこの後付感を緩和するため、既存雨樋（縦樋）を利用する。縦樋は建物の隅角部分に取り付けられている。この縦樋の外経よりも若干大きな内径を有する鋼管で縦樋を内包し鋼管にブラケットを溶接し、外壁面より柱、基礎へそれぞれ緊結する。鋼管は縦樋と同様の色で塗装することにより、建物の美観を損ねることなく且つ、同等の強度を有するものとする。【選択図】図１
2007056656.tif 000002
【特許請求の範囲】
【請求項１】
既設建物において後付ホールダウン金物を設置する際、後付による建物の美観を損ねることなく設置することを特徴とする後付ホールダウン金物。
【請求項２】
既設建物において後付ホールダウン金物を設置する際、雨樋（縦樋）を利用し、後付による建物の美観を損ねることなく設置することを特徴とする請求項１記載の後付ホールダウン金物。
【請求項３】
既設建物において後付ホールダウン金物を設置する際、雨樋（縦樋）を利用し、雨樋を内包するように後付ホールダウン金物を設置することにより、後付による建物の美観を損ねることなく設置することを特徴とする請求項１記載の後付ホールダウン金物。
【請求項４】
既設建物において後付ホールダウン金物を設置する際、雨樋（縦樋）を利用し、雨樋を内包するように後付ホールダウン金物を設置し、隅角部分の柱、基礎と強固に緊結することにより取り付け強度も確保しつつ、後付による建物の美観を損ねることなく設置することを特徴とする請求項１記載の後付ホールダウン金物。
【発明の詳細な説明】
【技術分野】
【０００１】  本発明は、巨大地震発生時における土台から柱が抜ける力に抵抗するために既存木造建物に取り付けられる後付のホールダウン金物を建物の美観を損ねずに施工する工法に関する。
【背景技術】
【０００２】  日本列島は複数の活断層の上に存在しており、巨大地震を頻発している。阪神淡路大震災や新潟中越地震、福岡沖玄界地震など記憶に新しい。地震により建物が倒壊し多くの犠牲者が出ていることも周知の事実である。日本の家屋の大多数は木造在来工法であり、土台や梁、胴差等の横架材と柱等の縦架材、水平方向に抵抗するための筋交い等により形成されている。【０００３】  巨大地震発生時、この軸組みに耐え切れない力がかかるとき柱は土台から抜け１階部分が倒壊する。この現象を防ぐために柱と基礎を緊結するための手段としてホールダウン金物が使われている。新築時の基礎工事でコンクリートを打つ際に同時にこの金物を埋め込み、土台を貫通させて柱と緊結する。設置も容易である。しかし、既存建物では工事自体が難しく、また工事金額も高くなりがちであった。【０００４】  そこで近年、後付のホールダウン金物が発売されている。この金物は建物の外壁面から柱と基礎部分をそれぞれ強固に緊結するものであり、土台から柱が抜ける現象を削減するのに一役買っている。しかし、この金物は後付感が強く、建物の美観を損ねるものである。
【発明の開示】
【発明が解決しようとする課題】
【０００５】  しかしながら、以上の技術によれば、後付ホールダウン金物はどうしてもその後付感が払拭できない部分があった。そこで本発明では建物の隅角部分についている雨樋（縦樋）を使用し、建物の美観を損ねることなくまた、既出の取り付け方法で施工するため、機能性も重視した後付ホールダウン金物を提供することを課題とする。
【課題を解決するための手段】
【０００６】  以上の課題を解決するため、第一発明は、既設建物において後付ホールダウン金物を設置する際、後付による建物の美観を損ねることなく設置することを特徴とする後付ホールダウン金物である。【０００７】  また、第二発明は、既設建物において後付ホールダウン金物を設置する際、雨樋（縦樋）を利用し、後付による建物の美観を損ねることなく設置することを特徴とする後付ホールダウン金物である。【０００８】  また、第三発明は、既設建物において後付ホールダウン金物を設置する際、雨樋（縦樋）を利用し、雨樋を内包するように後付ホールダウン金物を設置することにより、後付による建物の美観を損ねることなく設置することを特徴とする後付ホールダウン金物である。【０００９】  また、第四発明は、既設建物において後付ホールダウン金物を設置する際、雨樋（縦樋）を利用し、雨樋を内包するように後付ホールダウン金物を設置し、隅角部分の柱、基礎と緊結することにより取り付け強度も確保しつつ、後付による建物の美観を損ねることなく設置することを特徴とする後付ホールダウン金物である。
【発明の効果】
【００１０】  この発明によれば、本後付ホールダウン金物を用いることにより基礎と柱を強固に緊結できるので巨大地震による土台から柱が抜ける現象を削減することができる。また、雨樋（縦樋）を内包し設置するので、建物の美観を損ねることなく施工できる。
【発明を実施するための最良の形態】
【００１１】  以下に既設木造建物において本後付ホールダウン金物の施工方法の一実施形態を、図１〜２を参照しながら説明する。
図１はこの発明の一実施形態を示す断面図である。
図２は後付ホールダウン金物を示す斜視図である。【００１２】  本後付ホールダウン金物は柱用アングル（鋼製  厚さ６ｍｍ）７（以下、柱用アングル７）、基礎用ブラケット（鋼製  厚さ６ｍｍ）８（以下、基礎用ブラケット８）、基礎用アングル（鋼製  厚さ６ｍｍ）９（以下、基礎用アングル９）、鋼管（長さ８００ｍｍ、厚さ３．２ｍｍ）１０（以下、鋼管１０）により形成されている。それぞれのパーツは溶接接合されている。柱用アングル７と鋼管１０を溶接する前に、柱用アングル７にコーチボルト（長さ９０ｍｍ、直径１２ｍｍ）５（以下、コーチボルト５）を挿しておく。鋼管１０は既存縦樋１２と同色に塗装されている。【００１３】  柱用アングル７、基礎用アングル９を取付ける既存柱１、既存土台２、既存基礎３にコーチボルト５、ケミカルアンカー（直径１２ｍｍ以上）６（以下、ケミカルアンカー６）を通すための既存外壁４側から下穴をあらかじめ開けておく。その際、既存縦樋１２は切断しておく。【００１４】  上記で開けた既存基礎３の下穴にケミカルアンカー６を挿入する。鋼管１０に切断した既存縦樋１２を挿入しておく。基礎用アングル９をケミカルアンカー６で既存基礎３に緊結する。次に既存柱１の下穴にコーチボルト５を締め付ける。【００１５】  基礎用ブラケット８と基礎用アングル９をボルト（直径１２ｍｍ）１１（以下、ボルト１１）により緊結する。最後に切断した既存縦樋１２を接続し作業を完了する。尚、この取り付け作業を行う際に既存外壁４に穴を開けることからコーキング等を用いて防水処理を必ず施す。
「実施形態の効果」【００１６】  この実施形態によれば、巨大地震が発生した際に土台から柱が抜ける現象を削減することができ、且つ建物自体の美観を損ねることなく施工できる。【００１７】「他の実施形態」
既存縦樋１２の形状（丸、四角）に合わせ鋼管１０の形状を変えると更に美観を損ねることはない。基礎用ブラケット８と基礎用アングル９を接合するボルト１１を複数本に増やす、又は溶接することにより強固な接合を可能にする。
【図面の簡単な説明】
【００１８】
【図１】はこの発明の一実施形態を示す断面図である。
【図２】後付ホールダウン金物を示す斜視図である。
【符号の説明】
【００１９】  １  既存柱
２  既存土台
３  既存基礎
４  既存外壁
５  コーチボルト（長さ９０ｍｍ、直径１２ｍｍ）
６  ケミカルアンカー（直径１２ｍｍ以上）
７  柱用アングル（鋼製  厚さ６ｍｍ）
８  基礎用ブラケット（鋼製  厚さ６ｍｍ）
９  基礎用アングル（鋼製  厚さ１２ｍｍ）
１０  鋼管（長さ８００ｍｍ  厚さ３．２ｍｍ）
１１  ボルト（直径１２ｍｍ）
１２  既存縦樋
【図１】
2007056656.tif 000003
【図２】
2007056656.tif 000004